(57)【要約】【課題】画像処理装置の消費電力の削減ができるようにする。【解決手段】ＣＰＵ３１は、本画像表示データ領域５１に記憶されている本画像を表示制御部３９に転送する本画像用ＤＭＡ３７、ＯＳＤ表示データ領域５２に記憶されているＯＳＤ画像を表示制御部３９に転送するＯＳＤ用ＤＭＡ３８、および、ＣＰＵ３１により表示が要求された画像を、表示部１５に表示させるように制御する表示制御部３９の３つのハードウエアうちの、これから表示させる画像の表示制御に不必要なものを特定し、スイッチ４１乃至４３のうちの、特定したハードウエアに対応するスイッチをオフ状態とすることで、特定したハードウエアに対する電源制御部４０からの電源供給を停止させる。本発明は、デジタルスチルカメラに適用可能である。【選択図】　　　図１
2004032353.tif 000002
【特許請求の範囲】
【請求項１】
画像の表示を制御する画像処理装置において、
第１の画像の表示、若しくは表示の禁止、並びに、第２の画像の表示、若しくは表示の禁止のそれぞれを独立して要求する要求手段と、
前記第１および前記第２の画像のうちの、前記要求手段により表示が要求された画像を表示させ、かつ、前記第１および前記第２の画像のうちの、前記要求手段により表示の禁止が要求された画像に対して、その表示を禁止するように制御する表示制御手段と、
前記要求手段により前記第１および前記第２の画像の表示の禁止が要求された場合、前記表示制御手段に対して、電力の供給を禁止、または、電力の供給量を抑制するように制御する電力制御手段と
を備えることを特徴とする画像処理装置。
【請求項２】
前記表示制御手段による前記第１の画像の表示の制御を補助する第１の表示制御補助手段と、
前記表示制御手段による前記第２の画像の表示の制御を補助する第２の表示制御補助手段と
をさらに備え、
前記電力制御手段は、さらに、前記要求手段により前記第１の画像の表示の禁止が要求された場合、前記第１の表示制御補助手段に対して、電力の供給を禁止、または、電力の供給量を抑制するように制御し、前記要求手段により前記第２の画像の表示の禁止が要求された場合、前記第２の表示制御補助手段に対して、電力の供給を禁止、または、電力の供給量を抑制するように制御する
ことを特徴とする請求項１に記載の画像処理装置。
【請求項３】
前記要求手段は、単一色、かつ、非透明の第３の画像の表示、または、表示の禁止を、他の要求とは独立してさらに要求し、
前記表示制御手段は、さらに、前記要求手段により前記第３の画像の表示が要求された場合、前記第３の画像を、前記第１の画像の前面に表示させるように制御し、
前記電力制御手段は、さらに、前記要求手段により前記第３の画像の表示が要求された場合、前記第１の表示制御補助手段に対して、電力の供給を禁止、または、電力の供給量を抑制するように制御する
ことを特徴とする請求項２に記載の画像処理装置。
【請求項４】
被写体を撮影する撮影手段と、
前記撮影手段により撮影された前記被写体の画像を、前記第１の画像として記憶する第１の記憶手段と、
所定の位置に所定のシンボルが配置された画像を、前記第２の画像として記憶する第２の記憶手段と
をさらに備え、
前記第１の表示制御補助手段は、ＤＭＡにより、前記第１の記憶手段に記憶された前記第１の画像を前記表示制御手段に供給し、
前記第２の表示制御補助手段は、ＤＭＡにより、前記第２の記憶手段に記憶された前記第２の画像を前記表示制御手段に供給する
ことを特徴とする請求項２に記載の画像処理装置。
【請求項５】
第１の画像、および第２の画像の表示、または表示の禁止を制御する表示制御装置を備える画像処理装置の画像処理方法において、
前記第１の画像の表示、若しくは表示の禁止、並びに、前記第２の画像の表示、若しくは表示の禁止のそれぞれを独立して要求する要求ステップと、
前記要求ステップの処理により前記第１および前記第２の画像の表示の禁止が要求された場合、前記表示制御装置に対して、電力の供給を禁止、または、電力の供給量を抑制するように制御する電力制御ステップと
を含むことを特徴とする画像処理方法。
【請求項６】
第１の画像、および第２の画像の表示、または表示の禁止を制御する表示制御装置を備える画像処理装置を制御するコンピュータのプログラムにおいて、
前記第１の画像の表示、若しくは表示の禁止、並びに、前記第２の画像の表示、若しくは表示の禁止のそれぞれを独立して要求する要求ステップと、
前記要求ステップの処理により前記第１および前記第２の画像の表示の禁止が要求された場合、前記表示制御装置に対して、電力の供給を禁止、または、電力の供給量を抑制するように制御する電力制御ステップと
を含むことを特徴とするコンピュータが読み取り可能なプログラムが記録されている記録媒体。
【請求項７】
第１の画像、および第２の画像の表示、または表示の禁止を制御する表示制御装置を備える画像処理装置を制御するコンピュータに、
前記第１の画像の表示、若しくは表示の禁止、並びに、前記第２の画像の表示、若しくは表示の禁止のそれぞれを独立して要求する要求ステップと、
前記要求ステップの処理により前記第１および前記第２の画像の表示の禁止が要求された場合、前記表示制御装置に対して、電力の供給を禁止、または、電力の供給量を抑制するように制御する電力制御ステップと
を実行させるプログラム。
【発明の詳細な説明】
【０００１】
【発明の属する技術分野】
本発明は、画像処理装置および方法、記録媒体、並びにプログラムに関し、特に、画像処理装置の消費電力の削減ができるようにした画像処理装置および方法、記録媒体、並びにプログラムに関する。
【０００２】
【従来の技術】
近年、ＯＳＤ（Ｏｎ　Ｓｃｒｅｅｎ　Ｄｉｓｐｌａｙ）機能（文字表示機能）を有するデジタルスチルカメラが製品化されており、そのようなデジタルスチルカメラは、それに搭載されている液晶パネルに、撮影した画像のみならず、ＯＳＤ機能により生成された文字等のシンボルも表示させることが可能である。
【０００３】
即ち、ＯＳＤ機能を有するデジタルスチルカメラには、それが撮影した画像（以下、本画像と称する）、および、ＯＳＤ機能により生成されたシンボルが所定の位置に配置されている画像（以下、ＯＳＤ画像と称する）のそれぞれを単体で液晶パネルに表示させる表示制御、本画像とＯＳＤ画像を合成して、その合成画像を液晶パネルに表示させる表示制御、並びに、ＯＳＤ画像の１形態として、単一色、かつ、不透明の画像（以下、ミュート画像と称する）を生成し、そのミュート画像で本画像を覆い、本画像の表示を隠す（ミュート画像を液晶パネルに表示させる）表示制御を行うことが可能な表示制御装置が搭載されている。
【０００４】
【発明が解決しようとする課題】
しかしながら、そのようなデジタルスチルカメラに搭載されている表示制御装置は、対象となる画像が液晶パネルに表示されていない場合（表示制御を行っていない、または行う必要がない場合）でも、常時起動されたままであることが多く、その結果、デジタルスチルカメラの電池寿命を縮めてしまうという課題があった。
【０００５】
本発明は、このような状況に鑑みてなされたものであり、画像処理装置の電池寿命を延長させることができるようにするものである。
【０００６】
【課題を解決するための手段】
本発明の画像処理装置は、第１の画像の表示、若しくは表示の禁止、並びに、第２の画像の表示、若しくは表示の禁止のそれぞれを独立して要求する要求手段と、第１および第２の画像のうちの、要求手段により表示が要求された画像を表示させ、かつ、第１および第２の画像のうちの、要求手段により表示の禁止が要求された画像に対して、その表示を禁止するように制御する表示制御手段と、要求手段により第１および第２の画像の表示の禁止が要求された場合、表示制御手段に対して、電力の供給を禁止、または、電力の供給量を抑制するように制御する電力制御手段とを備えることを特徴とする。
【０００７】
表示制御手段による第１の画像の表示の制御を補助する第１の表示制御補助手段と、表示制御手段による第２の画像の表示の制御を補助する第２の表示制御補助手段とをさらに備え、電力制御手段は、さらに、要求手段により第１の画像の表示の禁止が要求された場合、第１の表示制御補助手段に対して、電力の供給を禁止、または、電力の供給量を抑制するように制御し、要求手段により第２の画像の表示の禁止が要求された場合、第２の表示制御補助手段に対して、電力の供給を禁止、または、電力の供給量を抑制するように制御するようにすることができる。
【０００８】
要求手段は、単一色、かつ、非透明の第３の画像の表示、または、表示の禁止を、他の要求とは独立してさらに要求し、表示制御手段は、さらに、要求手段により第３の画像の表示が要求された場合、第３の画像を、第１の画像の前面に表示させるように制御し、電力制御手段は、さらに、要求手段により第３の画像の表示が要求された場合、第１の表示制御補助手段に対して、電力の供給を禁止、または、電力の供給量を抑制するように制御するようにすることができる。
【０００９】
被写体を撮影する撮影手段と、撮影手段により撮影された被写体の画像を、第１の画像として記憶する第１の記憶手段と、所定の位置に所定のシンボルが配置された画像を、第２の画像として記憶する第２の記憶手段とをさらに設け、第１の表示制御補助手段は、ＤＭＡにより、第１の記憶手段に記憶された第１の画像を表示制御手段に供給し、第２の表示制御補助手段は、ＤＭＡにより、第２の記憶手段に記憶された第２の画像を表示制御手段に供給するようにすることができる。
【００１０】
本発明の画像処理装置の画像処理方法は、第１の画像の表示、若しくは表示の禁止、並びに、第２の画像の表示、若しくは表示の禁止のそれぞれを独立して要求する要求ステップと、要求ステップの処理により第１および第２の画像の表示の禁止が要求された場合、画像処理装置が備える第１および第２の画像の表示、または表示の禁止を制御する表示制御装置に対して、電力の供給を禁止、または、電力の供給量を抑制するように制御する電力制御ステップとを含むことを特徴とする。
【００１１】
本発明の記録媒体のプログラムは、第１の画像の表示、若しくは表示の禁止、並びに、第２の画像の表示、若しくは表示の禁止のそれぞれを独立して要求する要求ステップと、要求ステップの処理により第１および第２の画像の表示の禁止が要求された場合、画像処理装置が備える第１および第２の画像の表示、または表示の禁止を制御する表示制御装置に対して、電力の供給を禁止、または、電力の供給量を抑制するように制御する電力制御ステップとを含むことを特徴とする。
【００１２】
本発明のプログラムは、第１の画像の表示、若しくは表示の禁止、並びに、第２の画像の表示、若しくは表示の禁止のそれぞれを独立して要求する要求ステップと、要求ステップの処理により第１および第２の画像の表示の禁止が要求された場合、画像処理装置が備える第１および第２の画像の表示、または表示の禁止を制御する表示制御装置に対して、電力の供給を禁止、または、電力の供給量を抑制するように制御する電力制御ステップとをコンピュータに実行させることを特徴とする。
【００１３】
本発明の画像処理装置および方法、記録媒体、並びにプログラムにおいては、第１の画像の表示、若しくは表示の禁止、並びに、第２の画像の表示、若しくは表示の禁止のそれぞれが独立して要求され、第１および第２の画像の表示の禁止が要求された場合、画像処理装置が備える第１および第２の画像の表示、または表示の禁止を制御する表示制御装置に対して、電力の供給を禁止、または、電力の供給量を抑制するように制御される。
【００１４】
本発明の画像処理装置は、それに内蔵されている表示装置に対して画像の表示の制御を行ってもよいし、外部の表示装置に対して画像の表示の制御を行ってもよい。さらに、本発明の画像処理装置は、それに内蔵されている表示装置、および、外部の表示装置のそれぞれに対して、同時に画像の表示の制御を行ってもよい。
【００１５】
また、本発明の画像処理装置は、それ自身が生成した画像の表示を制御してもよいし、外部から供給された画像の表示を制御してもよい。さらに、本発明の画像処理装置は、それ自身が生成した画像、および、外部から供給された画像のそれぞれの表示を制御してもよい。
【００１６】
【発明の実施の形態】
図１は、本発明が適用される画像処理装置としてのデジタルスチルカメラ１のハードウエアの構成例を表している。
【００１７】
図１に示されるように、デジタルスチルカメラ１には、被写体を撮影し、アナログの画像信号として出力するＣＣＤ（Ｃｈａｒｇｅ　Ｃｏｕｐｌｅｄ　Ｄｅｖｉｃｅ）１１、ＣＣＤ１１からのアナログの画像信号を、Ａ／Ｄ変換（Ａｎａｌｏｇ−Ｄｉｇｉｔａｌ変換）し、デジタルの画像データとして出力するＡ／Ｄ変換部１２、Ａ／Ｄ変換部１２からのデジタルの画像データに、所定の画像処理を施して、作業用ＲＡＭ１４に供給する他、各種の処理を行うＩＣ（Ｉｎｔｅｇｒａｔｅｄ　Ｃｉｒｃｕｉｔ）１３が設けられている。
【００１８】
デジタルスチルカメラ１にはまた、ＣＣＤ１１により撮影され、Ａ／Ｄ変換部１２、および、ＩＣ１３を介して供給されてくる画像データを、上述した本画像のデータとして記憶する本画像表示データ領域５１、並びに、ＩＣ１３により生成され、供給されてくる、上述したＯＳＤ画像のデータを記憶するＯＳＤ表示データ領域５２を有する作業用ＲＡＭ１４が設けられている。
【００１９】
デジタルスチルカメラ１にはまた、ＩＣ１３の制御に基づいて画像を表示する、液晶パネル等より構成される表示部１５、および、外部の表示装置２２に接続可能な外部機器インタフェース１６が設けられている。
【００２０】
即ち、ＩＣ１３（後述する表示制御部３９）は、本画像表示データ領域５１に記憶された本画像のデータ、ＯＳＤ表示データ領域５２に記憶されたＯＳＤ画像のデータ、または、後述するミュート画像のデータのうちの任意の数の任意のものに対応する画像を表示部１５に同時に表示させる。
【００２１】
さらに、外部インタフェース１６に外部の表示装置２２が接続されている場合、ＩＣ１３（後述する表示制御部３９）は、表示部１５に表示させるものと同一の画像を、外部機器インタフェース１６を介して外部の表示装置２２に表示させる。
【００２２】
デジタルスチルカメラ１にはまた、ＲＡＭ（Ｒａｎｄｏｍ　Ａｃｃｅｓｓ　Ｍｅｍｏｒｙ）１７、ＲＯＭ（Ｒｅａｄ　Ｏｎｌｙ　Ｍｅｍｏｒｙ）１８、および、複数のキーからなる入力部１９が設けられている。
【００２３】
デジタルスチルカメラ１にはさらに、必要に応じてドライブ２０が設けられ、磁気ディスク、光ディスク、光磁気ディスク、或いは半導体メモリなどよりなるリムーバブル記録媒体２１が適宜装着され、それらから読み出されたコンピュータプログラムが、必要に応じてＲＡＭ１７、或いは図示せぬメモリにインストールされる。
【００２４】
ＩＣ１３には、ＣＰＵ３１、並びに、そのＣＰＵ３１と、ＲＡＭ１７、ＲＯＭ１８、および、ドライブ２０のそれぞれを接続するバスインタフェース３２が設けられている。ＣＰＵ３１は、ＲＯＭ１８等に記憶されているプログラムに従って、デジタルスチルカメラ１の全体の動作を制御する。この場合、ＲＡＭ１７には、ＣＰＵ３１が各種の処理を実行する上において必要なデータなどが適宜記憶される。
【００２５】
ＩＣ１３にはまた、ＣＣＤ１１により撮影され、Ａ／Ｄ変換部１２によりＡ／Ｄ変換された画像データに対して、補正や画像加工といった画像処理（例えば、エフェクト処理）を施すＣＡＭＤＳＰ（ＣＡＭｅｒａ　Ｄｉｇｉｔａｌ　Ｓｉｇｎａｌ　Ｐｒｏｃｅｓｓｏｒ）３３、および、ＣＡＭＤＳＰ３３により画像処理が施された画像データを、必要に応じてＪＰＥＧ（Ｊｏｉｎｔ　Ｐｈｏｔｏｇｒａｐｈｉｃ　Ｅｘｐｅｒｔｓ　Ｇｒｏｕｐ）方式で圧縮するＪＰＥＧ圧縮部３４が設けられている。
【００２６】
ＩＣ１３にはまた、ＣＡＭＤＳＰ３３、若しくは、ＪＰＥＧ圧縮部３４より供給された画像データを、本画像（データ）としてＤＭＡ（Ｄｉｒｅｃｔ　Ｍｅｍｏｒｙ　Ａｃｃｅｓｓ）により本画像表示データ領域５１に転送するＤＭＡ３５、および、ＣＰＵ３１により生成されたＯＳＤ画像（データ）をＯＳＤ表示データ領域５２に供給するＲＡＭインタフェース３６が設けられている。なお、ここでは、データをＤＭＡにより転送する装置を、単にＤＭＡと称する。
【００２７】
ＩＣ１３にはまた、本画像表示データ領域５１に記憶されている本画像（データ）を表示制御部３９に転送する本画像用ＤＭＡ３７、ＯＳＤ表示データ領域５２に記憶されているＯＳＤ画像を表示制御部３９に転送するＯＳＤ用ＤＭＡ３８、並びに、ＣＰＵ３１により表示が要求された画像（本画像、ＯＳＤ画像、後述するミュート画像のうちの任意の数の任意のもの）を表示部１５に表示させるとともに、外部機器インタフェース１６を介して外部の表示装置２２に表示させるように制御する表示制御部３９が設けられている。
【００２８】
ＩＣ１３にはさらに、本画像用ＤＭＡ３７、ＯＳＤ用ＤＭＡ３８、および、表示制御部３９のそれぞれに所定の電源を供給するように制御する電源制御部４０が設けられており、ＣＰＵ３１は、スイッチ４１、スイッチ４２、および、スイッチ４３のそれぞれのオン／オフ状態を制御することにより、対応する本画像用ＤＭＡ３７、ＯＳＤ用ＤＭＡ３８、および、表示制御部３９のそれぞれに対して、電源制御部４０からの電源供給の開始、または停止を制御する。
【００２９】
なお、図１の例では、ＩＣ１３には、スイッチ４１、スイッチ４２、および、スイッチ４３が設けられているが、スイッチ４１、スイッチ４２、および、スイッチ４３の代わりとして、本画像用ＤＭＡ３７、ＯＳＤ用ＤＭＡ３８、および、表示制御部３９に供給する電力量を制御可能な装置を搭載してもよい。この場合、ＣＰＵ３１は、本画像用ＤＭＡ３７、ＯＳＤ用ＤＭＡ３８、および、表示制御部３９に対して、電源の供給の開始、または停止を制御する単純なオン／オフ制御のみならず、パワーコントロール（電力量制御）を行うことも可能になる。
【００３０】
また、以下、本画像用ＤＭＡ３７、ＯＳＤ用ＤＭＡ３８、および、表示制御部３９のそれぞれに対して、電源の供給を停止すること（スイッチ４１、スイッチ４２、および、スイッチ４３のうちの対応するものをオフ状態にすること）も含めて、供給する電力量を抑制することを、パワーセーブと称する。
【００３１】
さらに、以下、そのようなパワーセーブを行うハードウエアを決定し（制御対象を決定し）、決定したハードウエア（制御対象）に対してパワーセーブを実行する制御を、パワーセーブ制御と称する。即ち、この例においては、ＣＰＵ３１が実行するスイッチ４１、スイッチ４２、および、スイッチ４３のそれぞれに対するオン／オフ制御を、パワーセーブ制御とも称する。
【００３２】
図２は、表示制御部３９の詳細の構成例を表している。
【００３３】
図２に示されるように、表示制御部３９には、出力画像合成部６１、出力先データ変換処理部６２、および、出力先表示処理部６３が設けられている。
【００３４】
出力画像合成部６１は、ＣＰＵ３１により、図３に示されるＯＳＤ画像７１−１、ミュート画像７１−２、および、本画像７１−３のうちの２つ以上の画像の表示が要求された場合、表示が要求された画像（データ）を、図３に示されるように、前面から、ＯＳＤ画像７１−１、ミュート画像７１−２、および、本画像７１−３の順に配置するように合成して合成画像７１（データ）を生成し、出力先データ変換処理部６２に供給する。
【００３５】
また、出力画像合成部６１は、ＣＰＵ３１により、ＯＳＤ画像７１−１、ミュート画像７１−２、および、本画像７１−３のうちの１つの画像の表示が要求された場合、表示が要求された画像（データ）をそのまま、出力先データ変換処理部６２に供給する。
【００３６】
なお、上述したように、ＯＳＤ画像７１−１は、ＯＳＤ用ＤＭＡ３８（図１）により、ＯＳＤ表示データ領域５２（図１）に記憶されていた画像が出力先画像合成部６１に転送されたものであり、本画像７１−３は、本画像用ＤＭＡ３７（図１）により、本画像表示データ領域５１（図１）に記憶されていた画像が出力先画像合成部６１に転送されたものである。
【００３７】
また、ミュート画像７１−２は、他のブロック（図示せず）から供給された画像とすることも可能であるが、この例においては、例えば、以下のようにして出力画像合成部６１により生成されたものとする。
【００３８】
即ち、この例においては、例えば、出力画像合成部６１は、１６個のカラーテーブルを有しており、これらの１６個のカラーテーブルのそれぞれに対して、所定の番号（１乃至１６のうちのいずれかの番号）、および、所定の色データ（この例では、例えば、透過、Ｙ、Ｃｂ、および、Ｃｒのデータ）の値が設定されている。
【００３９】
ＣＰＵ３１は、ミュート画像７１−２の表示を要求する場合、これらの１６個のカラーテーブルのうちの所定の１つに対応する番号を指定する。この場合、出力画像合成部６１は、これから生成するミュート画像７１−２を構成する全ての画素の画素値を、ＣＰＵ３１により指定された番号のカラーテーブルに設定されている色データの値とすることで、ミュート画像７１−２（データ）を生成する。
【００４０】
なお、この例においては、ＯＳＤ画像７１−１（データ）も、それを構成する各画素のそれぞれに対して、上述した出力画像合成部６１が有している１６個のカラーテーブルのうちのいずれかに対応する番号がそれぞれ指定されることで構成されている。
【００４１】
また、上述したように、この例のカラーテーブルの色データは、透過、Ｙ、Ｃｂ、および、Ｃｒのデータとされているので、この例の本画像用ＤＭＡ３７から転送されてくる本画像７１−３（本画像表示データ領域５１（図１）に記憶されていた画像データ）も、それを構成する各画素の画素値のそれぞれが、Ｙ、Ｃｂ、および、Ｃｒの値で指定されるフォーマットのデータとされる。
【００４２】
出力先データ変換処理部６２は、出力画像合成部６１より供給された合成画像７１のデータのフォーマットを、例えば、コンポジット信号に対応するフォーマット（図１の外部機器インタフェース１６に接続される外部の表示装置２２に対応するフォーマット）、および、ＲＧＢ信号に対応するフォーマット（図１の表示部１５に対応するフォーマット）のそれぞれに変換して、出力先表示処理部６３に供給する。
【００４３】
このように、表示制御部３９には、出力先データ変換処理部６２が設けられているので、出力画像合成部６１より出力されるデータのフォーマット（出力画像合成部６１が処理可能なフォーマット）は、上述した例に限定されず、様々なフォーマットが利用可能である。
【００４４】
また、出力先データ変換処理部６２が出力する画像データ（フォーマット変換後の画像データ）も、上述したコンポジット信号、および、ＲＧＢ信号に対応するフォーマットの画像データに限定されず、最終的な出力先に応じて様々なフォーマットの画像データとすることができる。
【００４５】
即ち、製造者等は、出力先データ変換処理部６２の入力フォーマットと出力フォーマットのそれぞれを変化させることで、出力画像合成部６１が利用するフォーマットと、表示装置（表示部１５等）のフォーマットのそれぞれを独立して任意に設定することが可能になる。
【００４６】
出力先表示処理部６３は、出力先データ変換処理部６２より供給されたＲＧＢ信号に対応するフォーマットの合成画像７１のデジタルデータを、Ｄ／Ａ変換（Ｄｉｇｉｔａｌ−Ａｎａｌｏｇ変換）してアナログの画像信号とし、さらにＡＧＣ（Ａｕｔｏ　Ｇａｉｎ　Ｃｏｎｔｒｏｌ）等の処理を施して、表示部１５に供給する。これにより、表示部１５には、図３に示されるような合成画像７１が表示される。
【００４７】
また、外部機器インタフェース１６（図１）に外部の表示装置２２（図１）が接続されている場合、出力先表示処理部６３は、出力先データ変換処理部６２より供給されたコンポジット信号に対応するフォーマットの合成画像７１のデジタルデータを、Ｄ／Ａ変換してアナログの信号とし、さらにＡＧＣ等の処理を施して、外部機器インタフェース１６を介して外部の表示装置２２に供給する。これにより、外部の表示装置２２にも合成画像７１が表示される。
【００４８】
図４は、デジタルスチルカメラ１（図１）が有している機能のうちの、画像表示機能、および、画像の表示制御を行うハードウエア（この例では、本画像用ＤＭＡ３７、ＯＳＤ用ＤＭＡ３８、および、表示制御部３９）に対するパワーセーブ制御を行う機能を実現するソフトウエアプログラムの構成例を表している。
【００４９】
図４に示されるように、このソフトウエアプログラムは、入力受付モジュール９１、表示画像コントロールモジュール９２、ＯＳＤ画像生成モジュール９３、ＣＡＭコントロールモジュール９４、ＪＰＥＧコントロールモジュール９５、および、表示制御部コントロールモジュール９６といった複数のモジュールにより構成される。
【００５０】
これらの各モジュールのそれぞれは、１つの独立したアルゴリズムを持ち、かつ、そのアルゴリズムに従って固有の動作を実行する。即ち、各モジュールのそれぞれは、ＣＰＵ３１により適宜読み出され、実行される。
【００５１】
入力受付モジュール９１は、入力部１９（複数のキー）のうちのいずれのキーが操作されたかを検知し、検知したキーに対応する情報（以下、キー情報と称する）を表示画像コントロールモジュール９２に供給する。
【００５２】
表示画像コントロールモジュール９２は、供給されたキー情報に基づいて、これから生成するＯＳＤ画像を決定し、決定したＯＳＤ画像を生成するのに必要な情報（以下、ＯＳＤ画像情報と称する）を生成する。そして、表示画像コントロールモジュール９２は、そのＯＳＤ画像情報を含む、ＯＳＤ画像の生成を要求する情報（以下、ＯＳＤ画像生成リクエストと称する）を生成し、ＯＳＤ画像生成モジュール９３に供給する。
【００５３】
ＯＳＤ画像生成モジュール９３は、そのＯＳＤ画像生成リクエストを取得すると、ＯＳＤ画像生成リクエストに含まれるＯＳＤ画像情報に基づいて、これから生成するＯＳＤ画像に含まれるＯＳＤフォントを所定のフォーマットに展開し、ＲＡＭインタフェース３６を介してＯＳＤ表示データ領域５２（それに記憶されるＯＳＤ画像の対応する位置）に貼り付ける。
【００５４】
なお、この例においては、例えば、ＯＳＤフォントは、ＲＯＭ１８（図１）に圧縮されて格納されている。
【００５５】
また、ＯＳＤフォントの展開フォーマットは、表示制御部３９の出力画像合成部６１（図２）が解読可能なフォーマット（上述した処理を実行可能なフォーマット）であれば限定されないが、この例においては、上述したように、ＯＳＤフォントを構成する各画素のそれぞれに対して、出力画像合成部６１が有する１６個のカラーテーブルのうちの任意の１つに対応する番号が指定されるフォーマットとされる。
【００５６】
即ち、出力画像合成部６１は、ＯＳＤフォントを構成する各画素のそれぞれの画素値として、指定された番号に対応するカラーテーブルの色データの値を使用して、そのＯＳＤフォントをＯＳＤ画像の対応する位置に配置させる。
【００５７】
また、ＯＳＤ画像生成モジュール９３は、このようにして、ＯＳＤ画像生成リクエストにより要求されたＯＳＤ画像を生成すると（ＯＳＤ画像に含まれるＯＳＤフォントを全てＯＳＤ表示データ領域５２に貼り付けると）、そのＯＳＤ画像の表示を要求する情報を生成し、表示制御部コントロールモジュール９６に供給する。
【００５８】
ところで、上述したように、ミュート画像は、ＯＳＤ画像の１形態であるので、表示画像コントロールモジュール９２は、入力受付モジュール９１より供給されたキー情報が、ミュート画像の表示に対応する情報である場合（ユーザが、入力部１９のうちの対応するキーを押下して、ミュート画像の表示を要求した場合）、ミュート画像の生成を要求する情報を生成し、それをＯＳＤ画像生成リクエストの１つとして、ＯＳＤ画像生成モジュール９３に提供する。
【００５９】
この場合、この例においては、上述したように、ミュート画像は、表示制御部３９の出力画像合成部６１（図２）により生成されるので、ＯＳＤ画像生成モジュール９３は、ミュート画像の表示を要求する情報のみを生成し、それを表示制御部コントロールモジュール９６に供給する。
【００６０】
なお、以下、上述したＯＳＤ画像の表示を要求する情報と、ミュート画像の表示を要求する情報をあわせて、ＯＳＤ／ミュート表示リクエストと称する。
【００６１】
このＯＳＤ／ミュート表示リクエストの内容は、特に限定されず、例えば、「ＯＳＤ表示データ領域５２に記憶されているＯＳＤ画像のデータを、ＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）方式、かつ、所定の解像度で表示させることを要求する」といった内容とすることも可能であるが、この例においては、説明の簡略上、ＯＳＤ画像の表示、若しくは表示の禁止（消去）、または、ミュート画像の表示、若しくは表示の禁止（消去）を要求する内容とされる。
【００６２】
即ち、上述した例においては、ＯＳＤ画像、または、ミュート画像の表示の要求（生成の要求）についてのみ説明したが、ユーザは、入力部１９の対応するキーを操作して、その時点で表示されているＯＳＤ画像、または、ミュート画像の消去（表示の禁止）を要求することも可能である。
【００６３】
この場合、表示画像コントロールモジュール９２は、そのユーザの要求（ＯＳＤ画像、または、ミュート画像の消去）に対応する情報を、ＯＳＤ画像生成リクエストの１つとして生成し、ＯＳＤ画像生成モジュール９３に供給する。ＯＳＤ画像生成モジュール９３は、そのＯＳＤ画像生成リクエストにより消去が要求されている画像（ＯＳＤ画像、または、ミュート画像）の表示の禁止（消去）を要求するＯＳＤ／ミュート表示リクエストを生成し、表示制御部コントロールモジュール９６に供給する。
【００６４】
ＣＡＭコントロールモジュール９４、および、ＪＰＥＧコントロールモジュール９５のそれぞれは、対応するＣＡＭＤＳＰ３３、または、ＪＰＥＧ圧縮部３４を制御して、上述したように、ＣＣＤ１１（図１）により撮影され、Ａ／Ｄ変換部１２（図１）によりＡ／Ｄ変換された画像データに、所定の画像処理を施して、それを本画像としてＤＭＡ３５を介して本画像表示データ領域５１に記憶させる。
【００６５】
また、ＣＡＭコントロールモジュール９４、および、ＪＰＥＧコントロールモジュール９５のそれぞれは、このように本画像を本画像表示データ領域５１に記憶させると、その本画像の表示を要求する情報を生成し、表示制御部コントロールモジュール９６に供給する。
【００６６】
なお、以下、この本画像の表示を要求する情報を、本画像表示リクエストと称する。この本画像表示リクエストの内容は、ＯＳＤ／ミュート表示リクエストと同様に、特に限定されないが、この例においては、説明の簡略上、本画像の表示の要求、および、本画像の表示の禁止（消去）の要求のうちのいずれか一方とされる。
【００６７】
表示制御部コントロールモジュール９６は、ＯＳＤ画像生成モジュール９３からのＯＳＤ／ミュート表示リクエスト、または、ＣＡＭコントロールモジュール９４、若しくはＪＰＥＧコントロールモジュール９５からの本画像表示リクエストが供給された場合、供給されたＯＳＤ／ミュート表示リクエスト、または本画像表示リクエストに基づいて、本画像、ミュート画像、および、ＯＳＤ画像のうちのいずれを表示させるかを決定し、決定した画像の表示を要求する情報（以下、そのような情報を、表示リクエストと称する）を表示制御部３９に供給する。
【００６８】
表示制御部３９は、上述したように、本画像、ミュート画像、および、ＯＳＤ画像のうちの、その表示リクエストにより表示が要求されている画像を合成して合成画像とし、その合成画像を、表示部１５（図１）に表示させるとともに、必要に応じて外部機器インタフェース１６（図１）を介して外部の表示装置２２（図１）に表示させる。
【００６９】
表示リクエストの内容は、特に限定されないが、この例においては、上述したＯＳＤ／ミュート表示リクエスト、および本画像表示リクエストの内容にあわせて、例えば、図５の表１２１に示されるパターン１乃至８のうちのいずれかのパターンとされる。
【００７０】
即ち、表１２１に示されるように、この例の表示リクエストは、「本画像」、「ＯＳＤ」、および、「ミュート」の３つの項目から構成され、これらの３つの項目のそれぞれに対して、ＯＮ（オン）、またはＯＦＦ（オフ）が設定される。ＯＮは、「対応する画像の表示の要求」を表している。これに対して、ＯＦＦは、「対応する画像の表示の禁止（消去）の要求」を表している。
【００７１】
例えば、パターン２の表示リクエストは、「本画像」の項目がＯＮに、「ＯＳＤ」の項目がＯＦＦに、「ミュート」の項目がＯＦＦに、それぞれ設定されているので、「本画像のみを表示させ、その他の画像（ＯＳＤ画像とミュート画像）の表示を禁止させる（消去させる）」ことを要求したものである。
【００７２】
なお、表１２１の詳細については、図６と図７のフローチャートを参照して表示制御部コントロールモジュール９６の処理を説明するとき、併せて説明する。
【００７３】
図４に戻り、表示制御部コントロールモジュール９６はまた、上述したようにして生成した表示リクエストに基づいて、本画像用ＤＭＡ３７、ＯＳＤ用ＤＭＡ３８、および、表示制御部３９に対してパワーセーブ制御を行う。
【００７４】
即ち、この例においては、例えば、表示制御部コントロールモジュール９６は、図５の表１２１に基づいて、表示制御部スイッチ４１、本画像用ＤＭＡスイッチ４２、および、ＯＳＤ用ＤＭＡスイッチ４３のそれぞれのオン／オフ制御を行うことで、本画像用ＤＭＡ３７、ＯＳＤ用ＤＭＡ３８、および、表示制御部３９のそれぞれに対して、電源制御部４０からの電源供給の開始、または停止を制御する。
【００７５】
次に、図６と図７のフローチャートを参照して、図４の表示制御部コントロールモジュール９６の処理について説明する。
【００７６】
上述したように、表示制御部コントロールモジュール９６は、ＯＳＤ画像生成モジュール９３からのＯＳＤ／ミュート表示リクエスト、または、ＣＡＭコントロールモジュール９４、若しくはＪＰＥＧコントロールモジュール９５からの本画像表示リクエストが入力された場合、その処理を開始する。
【００７７】
はじめに、ステップＳ２１において、表示制御部コントロールモジュール９６は、本画像表示リクエストが入力されたか否かを判定する。
【００７８】
ステップＳ２１において、本画像表示リクエストが入力されたと判定した場合、表示制御部コントロールモジュール９６は、ステップＳ２２において、本画像表示リクエストの内容に基づいて、表示リクエストの「本画像」の項目（図５の表１２１）をＯＮ、または、ＯＦＦに設定する。
【００７９】
即ち、本画像表示リクエストの内容が、本画像の表示の要求である場合、表示リクエストの「本画像」の項目は、ＯＮに設定され、一方、本画像の表示の禁止（消去）の要求である場合、表示リクエストの「本画像」の項目は、ＯＦＦに設定される。
【００８０】
これに対して、ステップＳ２１において、本画像表示リクエストが入力されていないと判定した場合、表示制御部コントロールモジュール９６は、ステップＳ２３において、表示リクエストの「本画像」の項目の設定を保持する。
【００８１】
即ち、表示制御部コントロールモジュール９６は、その直前の処理で生成した表示リクエストの「本画像」の項目の設定を、これから生成する表示リクエストの設定としてそのまま使用する。
【００８２】
なお、ステップＳ２１において、本画像表示リクエストが入力されていないと判定した場合、表示制御部コントロールモジュール９６は、本画像の表示の禁止（消去）が要求されたとみなして、上述したステップＳ２３の処理の代わりに、表示リクエストの「本画像」の項目をＯＦＦに強制的に設定することも可能である。
【００８３】
ステップＳ２４において、表示制御部コントロールモジュール９６は、ＯＳＤ／ミュート表示リクエストが入力されたか否かを判定する。
【００８４】
ステップＳ２４において、ＯＳＤ／ミュート表示リクエストが入力されたと判定した場合、表示制御部コントロールモジュール９６は、ステップＳ２５において、ＯＳＤ／ミュート表示リクエストの内容に基づいて、表示リクエストの「ＯＳＤ」および「ミュート」の項目（図５の表１２１）のそれぞれをＯＮ、または、ＯＦＦに設定する。
【００８５】
即ち、ＯＳＤ／ミュート表示リクエストに、ＯＳＤ画像の表示の要求が含まれていた場合、表示リクエストの「ＯＳＤ」の項目は、ＯＮに設定され、一方、ＯＳＤ画像の表示の禁止（消去）の要求が含まれていた場合、表示リクエストの「ＯＳＤ」の項目は、ＯＦＦに設定される。なお、ＯＳＤ／ミュート表示リクエストに、ＯＳＤ画像に関する要求が含まれていない場合、表示制御部コントロールモジュール９６は、表示リクエストの「ＯＳＤ」の項目の設定を保持してもよいし（直前の処理で生成した表示リクエストの設定をそのまま使用してもよいし）、強制的にＯＦＦに設定してもよい。
【００８６】
同様に、ＯＳＤ／ミュート表示リクエストに、ミュート画像の表示の要求が含まれていた場合、表示リクエストの「ミュート」の項目は、ＯＮに設定され、一方、ミュート画像の表示の禁止（消去）の要求が含まれていた場合、表示リクエストの「ミュート」の項目は、ＯＦＦに設定される。なお、ＯＳＤ／ミュート表示リクエストに、ミュート画像に関する要求が含まれていない場合、表示制御部コントロールモジュール９６は、表示リクエストの「ミュート」の項目の設定を保持してもよいし（直前の処理で生成した表示リクエストの設定をそのまま使用してもよいし）、強制的にＯＦＦに設定してもよい。
【００８７】
これに対して、ステップＳ２４において、ＯＳＤ／ミュート表示リクエストが入力されていないと判定した場合、表示制御部コントロールモジュール９６は、ステップＳ２６において、表示リクエストの「ＯＳＤ」および「ミュート」の項目のそれぞれの設定を保持する。
【００８８】
即ち、表示制御部コントロールモジュール９６は、その直前の処理で生成した表示リクエストの「ＯＳＤ」および「ミュート」の項目のそれぞれの設定を、これから生成する表示リクエストの設定としてそのまま使用する。
【００８９】
なお、ステップＳ２４において、ＯＳＤ／ミュート表示リクエストが入力されていないと判定した場合、表示制御部コントロールモジュール９６は、ＯＳＤ画像およびミュート画像の表示の禁止（消去）が要求されたとみなして、上述したステップＳ２６の処理の代わりに、表示リクエストの「ＯＳＤ」および「ミュート」の項目のそれぞれをＯＦＦに強制的に設定することも可能である。
【００９０】
このようにして、表示制御部コントロールモジュール９６は、ステップＳ２１乃至Ｓ２６の処理で、図５の表１２１に示されるパターン１乃至８のうちのいずれかの表示リクエストを生成する。
【００９１】
そして、ステップＳ２７において、表示制御部コントロールモジュール９６は、上述したように、いま生成した表示リクエスト（パターン１乃至８のうちのいずれかの表示リクエスト）に基づいて、本画像用ＤＭＡ３７、ＯＳＤ用ＤＭＡ３８、および、表示制御部３９のそれぞれに対して、パワーセーブ制御を行う。
【００９２】
なお、以下、このようなステップＳ２７の処理を、「パワーセーブ制御処理」と称する。
【００９３】
この例の「パワーセーブ制御処理」の詳細が、図７のフローチャートに示されている。そこで、以下、図７のフローチャートを参照して、この例の「パワーセーブ制御処理」について説明する。
【００９４】
はじめに、ステップＳ４１において、表示制御部コントロールモジュール９６は、ステップＳ２１乃至Ｓ２６の処理（図６）で生成した表示リクエストの「ミュート」の項目がＯＮ、または、「本画像」の項目がＯＦＦに設定されているか否かを判定する。
【００９５】
ステップＳ４１において、表示リクエストの「ミュート」の項目がＯＮ、または、「本画像」の項目がＯＦＦに設定されていると判定した場合、表示制御部コントロールモジュール９６は、ステップＳ４２において、本画像用ＤＭＡ３７を停止状態にする。
【００９６】
具体的には、表示制御部コントロールモジュール９６は、本画像用ＤＭＡスイッチ４２をオフ状態とし、本画像用ＤＭＡ３７に対する電源制御部４０からの電源供給を停止させる。
【００９７】
即ち、表示リクエストの「本画像」の項目がＯＦＦに設定されている場合（図５のパターン１，３，４，７のうちのいずれかの場合）、表示制御部３９は、表示部１５（図１）に本画像を表示させないので、本画像表示データ領域５１（図１）に記憶されている本画像を使用しなくてもよい。そこで、この場合、本画像用ＤＭＡ３７に対してパワーセーブが行われる。
【００９８】
また、表示リクエストの「ミュート」の項目がＯＮに設定されている場合（図５のパターン４，６，７，８のうちのいずれかの場合）、図８に示されるように、例え本画像１５１−３の表示が要求されても、その本画像１５１−３は、ミュート画像１５１−２に覆われて（本画像１５１−３の上にミュート画像１５１−２が合成されて）、表示部１５には、本画像１５１−３が隠された（表示されない）合成画像１５１が表示される。即ち、表示制御部３９は、本画像１５１−３を合成させても意味がないので、本画像表示データ領域５１（図１）に記憶されている本画像１５１−３を使用しなくてもよい。そこで、この場合も、本画像用ＤＭＡ３７に対してパワーセーブが行われる。
【００９９】
なお、図８に示されるように、ＯＳＤ画像１５１−１は、ミュート画像１５１−２の上に合成されるので、合成画像１５１にはＯＳＤ画像１５１−１に対応する画像が含まれる（図８の例では、合成画像１５１の図中右斜め上に「１２：３４」という数と記号の組み合わせが表示される）。従って、表示リクエストの「ミュート」の項目の設定（ＯＮ、または、ＯＦＦ）と、ＯＳＤ用ＤＭＡ３８に対するパワーセーブ制御は無関係とされる。
【０１００】
これに対して、図７のステップＳ４１において、表示リクエストの「ミュート」の項目がＯＦＦ、かつ、「本画像」の項目がＯＮに設定されている場合（表示リクエストの「ミュート」の項目がＯＮ、または、「本画像」の項目がＯＦＦに設定されていないと判定した場合）、表示制御部コントロールモジュール９６は、ステップＳ４３において、本画像用ＤＭＡ３７を起動状態にする。
【０１０１】
具体的には、表示制御部コントロールモジュール９６は、本画像用ＤＭＡスイッチ４２をオン状態とする。これにより、本画像用ＤＭＡ３７は、電源制御部４０から電源が供給されて、起動状態となる。
【０１０２】
即ち、表示リクエストの「ミュート」の項目がＯＦＦ、かつ、「本画像」の項目がＯＮに設定されている場合（図５のパターン２または５のうちのいずれか一方である場合）、図９に示されるように、ミュート画像１５２−２は合成されないので（または、ミュート画像１５２−２は透明な画像として合成されるので）、表示部１５には、本画像１５２−３に対応する画像を含む合成画像１５２が表示される。そこで、この場合、表示制御部コントロールモジュール９６は、本画像用ＤＭＡ３７に対してパワーセーブを行わず、起動状態にする。
【０１０３】
なお、ここでは、「起動状態にする」という表現は、ハードウエア（この例では、本画像用ＤＭＡ３７、ＯＳＤ用ＤＭＡ３８、および、表示制御部３９）の状態を、停止状態から起動状態に変化させることのみならず、起動状態であったものをそのままの状態に保持させる（状態を変化させない）ことも表している。
【０１０４】
即ち、ここでは、「起動状態にする」という表現は、ハードウエアに供給される電源ラインのスイッチ（この例では、表示制御部スイッチ４１、本画像用ＤＭＡスイッチ４２、および、ＯＳＤ用ＤＭＡスイッチ４３）の状態を、オフ状態からオン状態に切り換えることのみならず、オン状態であったものをそのままの状態に保持する（スイッチを切り換えない）ことも表している。
【０１０５】
同様に、「停止状態にする」という表現は、ハードウエアの状態を、起動状態から停止状態に変化させることのみならず、停止状態であったものをそのままの状態に保持させる（状態を変化させない）ことも表している。
【０１０６】
即ち、ここでは、「停止状態にする」という表現は、ハードウエアに供給される電源ラインのスイッチの状態を、オン状態からオフ状態に切り換えることのみならず、オフ状態であったものをそのままの状態に保持する（スイッチを切り換えない）ことも表している。
【０１０７】
図７に戻り、ステップＳ４４において、表示制御部コントロールモジュール９６は、いま生成した表示リクエストの「ＯＳＤ」の項目がＯＦＦに設定されているか否かを判定する。
【０１０８】
ステップＳ４４において、表示リクエストの「ＯＳＤ」の項目がＯＦＦに設定されていると判定した場合、表示制御部コントロールモジュール９６は、ステップＳ４５において、ＯＳＤ用ＤＭＡ３８を停止状態にする。
【０１０９】
具体的には、表示制御部コントロールモジュール９６は、ＯＳＤ用ＤＭＡスイッチ４３をオフ状態とし、ＯＳＤ用ＤＭＡ３８に対する電源制御部４０からの電源供給を停止させる。
【０１１０】
即ち、表示リクエストの「ＯＳＤ」の項目がＯＦＦに設定されている場合（図５のパターン１，２，４，６のうちのいずれかの場合）、表示制御部３９は、図１０に示されるように、表示部１５に、ＯＳＤ画像１５３−１に対応する画像を含まない合成画像１５３を表示させる。換言すると、表示制御部３９は、ＯＳＤ画像１５３−１を合成しないので、ＯＳＤ表示データ領域５２（図１）に記憶されているＯＳＤ画像１５３−１を使用しなくてもよい。そこで、この場合、ＯＳＤ用ＤＭＡ３８に対してパワーセーブが行われる。
【０１１１】
これに対して、図７のステップＳ４４において、表示リクエストの「ＯＳＤ」の項目がＯＮに設定されている場合（表示リクエストの「ＯＳＤ」の項目がＯＦＦに設定されていないと判定した場合）、表示制御部コントロールモジュール９６は、ステップＳ４６において、ＯＳＤ用ＤＭＡ３８を起動状態にする。
【０１１２】
具体的には、表示制御部コントロールモジュール９６は、ＯＳＤ用ＤＭＡスイッチ４３をオン状態とする。これにより、ＯＳＤ用ＤＭＡ３８は、電源制御部４０から電源が供給されて、起動状態となる。
【０１１３】
即ち、表示リクエストの「ＯＳＤ」の項目がＯＮに設定されている場合（図５のパターン３，５，７，８のうちのいずれかである場合）、表示制御部３９は、表示部１５に、ＯＳＤ画像、または、ＯＳＤ画像と他の画像（本画像、および、ミュート画像のうちの表示が要求された画像）が合成された合成画像を表示させる。そこで、この場合、表示制御部コントロールモジュール９６は、ＯＳＤ用ＤＭＡ３８に対してパワーセーブを行わず、起動状態にする。
【０１１４】
次に、ステップＳ４７において、表示制御部コントロールモジュール９６は、いま生成した表示リクエストの「本画像」、「ＯＳＤ」、および、「ミュート」の全ての項目がＯＦＦに設定されているか否かを判定する。
【０１１５】
ステップＳ４７において、表示リクエストの「本画像」、「ＯＳＤ」、および、「ミュート」の全ての項目がＯＦＦに設定されていると判定した場合、表示制御部コントロールモジュール９６は、ステップＳ４８において、表示制御部３９を停止状態にする。
【０１１６】
具体的には、表示制御部コントロールモジュール９６は、表示制御部スイッチ４１をオフ状態とし、表示制御部３９に対する電源制御部４０からの電源供給を停止させる。
【０１１７】
即ち、表示リクエストの「本画像」、「ＯＳＤ」、および、「ミュート」の全ての項目がＯＦＦに設定されている場合（図５のパターン１の場合）、表示制御部３９は、図１１の左側に示されるように、表示部１５に何も表示させない。換言すると、表示制御部３９は、ＯＳＤ画像１５４−１、ミュート画像１５４−２、および、本画像１５４−３のうちのいずれの画像に対しても処理を行わない。そこで、この場合、表示制御部３９に対してパワーセーブが行われる。
【０１１８】
これに対して、図７のステップＳ４７において、表示リクエストの「本画像」、「ＯＳＤ」、および、「ミュート」のうちの少なくとも１つの項目がＯＮに設定されている場合（表示リクエストの「本画像」、「ＯＳＤ」、および、「ミュート」の全ての項目がＯＦＦに設定されていないと判定した場合）、表示制御部コントロールモジュール９６は、ステップＳ４９において、表示制御部３９を起動状態にする。
【０１１９】
具体的には、表示制御部コントロールモジュール９６は、表示制御部スイッチ４１をオン状態にする。これにより、表示制御部３９は、電源制御部４０から電源が供給されて、起動状態となる。
【０１２０】
即ち、表示リクエストの「本画像」、「ＯＳＤ」、および、「ミュート」のうちの少なくとも１つの項目がＯＮに設定されている場合（図５のパターン２乃至８のうちのいずれかである場合）、例えば、図１１の右側に示されるような場合（図５のパターン２の場合）、表示制御部３９は、表示部１５に、本画像１５５−３を表示させる必要がある。そこで、このような場合、表示制御部コントロールモジュール９６は、表示制御部３９に対してパワーセーブを行わず、起動状態にする。その他の場合（表示制御部３９が、ＯＳＤ画像１５５−１、ミュート画像１５５−２、および、本画像１５５−３のうちの少なくとも１つの画像を表示させる必要がある場合）も同様である。
【０１２１】
以上のようにして、ステップＳ４１乃至Ｓ４９の処理が行われて、本画像用ＤＭＡ３７、ＯＳＤ用ＤＭＡ３８、および、表示制御部３９のそれぞれに対して、パワーセーブ制御が施されると、処理はリターンされ、図６のステップＳ２８において、表示制御部コントロールモジュール９６は、図５のパターン１乃至８のうちの設定されたパターンの表示リクエスト（ステップＳ２１乃至Ｓ２６の処理で生成した表示リクエスト）を表示制御部３９に出力し、その処理を終了する。
【０１２２】
表示制御部３９は、表示制御部コントロールモジュール９６より出力されたその表示リクエストを取得すると、上述したように、本画像、ＯＳＤ画像、および、ミュート画像のうちの、その表示リクエストにより表示が要求されている画像を合成して合成画像とし、その合成画像を表示部１５（図１）に表示させるとともに、必要に応じて外部機器インタフェース１６（図１）を介して外部の表示装置２２（図１）にも表示させる。ただし、表示制御部コントロールモジュール９６からの表示リクエストの内容が、１つの画像のみの表示を要求する内容である場合（図５のパターン２，３，４のうちのいずれかのパターンである場合）、表示制御部３９は、表示リクエストにより要求された画像をそのまま表示部１５に表示させるとともに、必要に応じて外部機器インタフェース１６を介して外部の表示装置２２にも表示させる。
【０１２３】
上述したように、図１のデジタルスチルカメラ１においては、ＣＰＵ３１が、画像の表示制御に必要なハードウエア（図１の例では、本画像用ＤＭＡ３７、ＯＳＤ用ＤＭＡ３８、および、表示制御部３９）のうちの、これから表示させる画像の表示制御に不必要なものに対して、パワーセーブを行うようにしたので、消費電力を抑制することができ、その結果、デジタルスチルカメラ１の電池寿命を延長させることが可能になる。
【０１２４】
上述した一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１２５】
この記録媒体は、図１に示されるように、装置本体とは別に、ユーザにプログラムを提供するために配布される、プログラムが記憶されている磁気ディスク（フロッピディスクを含む）、光ディスク（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク（ＭＤ（Ｍｉｎｉ−Ｄｉｓｋ）を含む）、もしくは半導体メモリなどよりなるパッケージメディア（リムーバブル記録媒体２１）により構成されるだけでなく、装置本体に予め組み込まれた状態でユーザに提供される、プログラムが記憶されているＲＯＭ１８や、記憶部（図示せず）に含まれるハードディスクなどで構成される。
【０１２６】
なお、上述した図４の入力受付モジュール９１乃至表示制御部コントロールモジュール９６のそれぞれは、対応する機能を果たすものであれば、その形態は限定されない。即ち、ハードウエアなどでモジュールが構成されてもよい。この場合、例えば、製造者等は、入力受付モジュール９１乃至表示制御部コントロールモジュール９６のそれぞれに対応する装置（ハードウエア）を製作し、それらを図４に示されるようにそれぞれ接続することで、本発明が適用されるデジタルスチルカメラを、図１のデジタルスチルカメラ１とは異なる構成で実現することも可能である。
【０１２７】
また、本発明が適用される画像処理装置は、デジタルスチルカメラに限定されず、上述した一連の処理を実行可能なもの、即ち、所定の表示装置（その画像処理装置に搭載されているものでもよいし、外部のものでもよい）に、画像を表示させるように制御するハードウエア（画像の表示制御に必要なハードウエア）を有し、かつ、これらのハードウエアのうちの、これから表示させる画像の表示制御に不必要なものに対して、パワーセーブを行うことが可能な画像処理装置であればよい。例えば、本発明は、デジタルビデオカメラ等に適用可能な他、デジタルカメラやデジタルビデオカメラ機能を搭載する携帯電話機や、ＰＤＡ（Ｐｅｒｓｏｎａｌ　Ｄｉｇｉｔａｌ　Ａｓｓｉｓｔａｎｔｓ）等にも適用可能である。
【０１２８】
さらに、本明細書において、記録媒体に記憶されるプログラムを記述するステップは、記述される順序に沿って時系列的に行われる処理はもちろん、必ずしも時系列的に処理されなくとも、並列的あるいは個別に実行される処理をも含むものである。
【０１２９】
【発明の効果】
以上のごとく、本発明によれば、所定のハードウエアを利用して、様々な機能により生成される複数の画像のそれぞれに対して、表示制御（表示装置に対応する画像を表示させる制御）を行うことができる。特に、そのような表示制御を行うハードウエアのうちの、これから表示させる画像の表示制御に不必要なものに対して、電力の供給の禁止、または、抑制を行うことができる。その結果、そのようなハードウエアを搭載する画像処理装置の電池寿命を延長させることができる。
【図面の簡単な説明】
【図１】本発明が適用されるデジタルスチルカメラのハードウエアの構成例を示す図である。
【図２】図１の表示制御部の詳細な構成例を示す図である。
【図３】図１の表示制御部により表示が制御される画像の構成例を表す図である。
【図４】図１のデジタルスチルカメラの表示機能およびパワーセーブ制御を行う機能を実現するソフトウエアプログラムの構成例を示す図である。
【図５】図４の表示制御部コントロールモジュールが生成する表示リクエストと、パワーセーブ制御の関係を説明する図である。
【図６】図４の表示制御部コントロールモジュールの処理を説明するフローチャートである。
【図７】図４の表示制御部コントロールモジュールの処理のうちの、パワーセーブ制御処理の詳細を説明するフローチャートである。
【図８】図１の表示制御部により表示が制御される画像の構成例を表す図である。
【図９】図１の表示制御部により表示が制御される画像の構成例を表す図である。
【図１０】図１の表示制御部により表示が制御される画像の構成例を表す図である。
【図１１】図１の表示制御部により表示が制御される画像の構成例を表す図である。
【符号の説明】
１　デジタルスチルカメラ，　１１　ＣＣＤ，　１４　作業用ＲＡＭ，　１５　表示部，　２２　表示装置，　３１　ＣＰＵ，　３７　本画像用ＤＭＡ，　３８　ＯＳＤ用ＤＭＡ，　３９　表示制御部，　４０　電源制御部，　４１乃至４３　スイッチ，　５１　本画像表示データ領域，　５２　ＯＳＤ表示データ領域，　７１−１　ＯＳＤ画像，　７１−２　ミュート画像，　７１−３　本画像，　９６　表示制御部コントロールモジュール
【図１】
2004032353.tif 000003
【図２】
2004032353.tif 000004
【図３】
2004032353.tif 000005
【図４】
2004032353.tif 000006
【図５】
2004032353.tif 000007
【図６】
2004032353.tif 000008
【図７】
2004032353.tif 000009
【図８】
2004032353.tif 000010
【図９】
2004032353.tif 000011
【図１０】
2004032353.tif 000012
【図１１】
2004032353.tif 000013